(57)【要約】【課題】一般的な農用フォークに脱着可能で、軽量で、掘り上げ作業時の潜り込みを防ぎ、踏み込みの補助にもなる農用フォーク用補助具を提供すること。【解決手段】踏み込み部11と複数の爪12とを有する農用フォーク10に装着して用いる農用フォーク用補助具20であって、爪12に装着する装着部30と、装着部30の前面に配置した固定金具40と、装着部30の背面に配置したパイプ材50とを有し、固定金具40を踏み込み部11に固定することで農用フォーク10に装着し、パイプ材50が土中への潜り込みに対する抵抗となることで、農用フォーク10を土中に潜り込みにくくする。【選択図】図2
0003206862.tif 000002
【実用新案登録請求の範囲】
【請求項１】
踏み込み部と複数の爪とを有する農用フォークに装着して用いる農用フォーク用補助具であって、
前記爪に装着する装着部と、
前記装着部の前面に配置した固定金具と、
前記装着部の背面に配置したパイプ材と
を有し、
前記固定金具を前記踏み込み部に固定することで前記農用フォークに装着し、前記パイプ材が土中への潜り込みに対する抵抗となることで、前記農用フォークを前記土中に潜り込みにくくすることを特徴とする農用フォーク用補助具。
【請求項２】
前記パイプ材は、少なくとも一対の接続片によって前記装着部に固定され、
前記接続片によって、前記パイプ材と前記装着部とは間隙を有することを特徴とする請求項1に記載の農用フォーク用補助具。
【請求項３】
前記装着部は、前記爪が挿通できる貫通孔を有することを特徴する請求項1又は請求項2に記載の農用フォーク用補助具。
【請求項４】
前記装着部として、角型アルミパイプを用い、
前記角型アルミパイプの対向する2片に前記貫通孔を設け、
前記パイプ材として、円筒状アルミパイプを用い、
前記円筒状アルミパイプを、前記角型アルミパイプよりも長くしたことを特徴とする請求項3に記載の農用フォーク用補助具。
【請求項５】
前記固定金具と前記装着部とで、前記踏み込み部を挟み込むことを特徴とする請求項3又は請求項4に記載の農用フォーク用補助具。
【請求項６】
請求項1から請求項5のいずれか1項に記載の農用フォーク用補助具を備えたことを特徴とする農用フォーク。
【考案の詳細な説明】
【技術分野】
【０００１】
本考案は、踏み込み部と複数の爪とを有する農用フォークに装着して用いる農用フォーク用補助具、及び農用フォークに関する。
【背景技術】
【０００２】
農作業においては、手作業で掘り取り（いわゆる芋ほり）を行う場合がある。また、農作物の試験研究においては、生育（期間中に）調査のため、甘しょなどを部分的に掘り上げる必要があり、他の区域を傷めてしまわないよう手作業での掘り取りを行っている。
手作業による甘しょ掘り取りは、一般的に踏み込みやすく掘り起こしやすい剣先スコップが用いられるが、その構造ゆえ、スコップ平面部分にかかる負荷（掘り起こされる土塊の抵抗）が大きく、作業者（特に女性）には大きな負荷となる。そこで、図7に示すように、作業者の負荷軽減のため、甘しょの掘り取り作業を一般的な農用フォーク10で行うことがある。農用フォーク10は、線状の爪部分が甘しょ塊根のみを掘り起こすため抵抗が少なく掘り上げ時の負荷が少ない。なお、根菜用と称して爪が帯状に改良され、掘り取り時の支点となる面積を広げた市販の農用フォークもある。
ここで、特許文献1には、農作物掘フォークに梃子部品を設けることによって、里芋や球根等の株の掘り上げ作業において、てこの原理を応用した省力化と土中への潜り込みを防ぐことが開示されている。また、この考案と同じように踏み込み部が一本のパイプ状になっており、踏み込みやすい農用フォークが市販されている。
また、特許文献2には、土中への突き刺し作業および土の掘り起こし作業を効率的に行うことを目的として、刺突部の上方位置背面に張出杆と足踏横杆とからなるコの字状の副杆部を突設した土起こし器具が開示されている。
【先行技術文献】
【特許文献】
【０００３】
【特許文献１】実用新案登録第3145762号公報
【特許文献２】特開2012-165698号公報
【考案の概要】
【考案が解決しようとする課題】
【０００４】
一般的に利用されている農用フォーク10は、踏み込み部が、いわゆるなで肩のような形状のため踏み込みにくい。また、甘しょ塊根または根茎すべてを慎重に掘り上げる必要があるため、幾度となく刺し直して掘り取り作業を行うと、刺し直した土壌がほぐれて抵抗が減り、（土中へ潜り込み）無駄に深く刺さる。さらに、掘り取り時の支点となる爪が線状のため支点となる部分が土中へ潜り込み、ひいては、図8に示すように、地表面まで引き倒さなければ土中から甘しょ塊根を掘り上げることができない。
特許文献1の農作物掘フォーク及び特許文献2の土起こし器具は、農用フォーク10自体の考案及び発明であり、一般的に利用されている農用フォーク10に装着して用いる農用フォーク用補助具に関するものではない。
また、踏み込み部が一本のパイプ状になっている市販の踏み込みやすい農用フォークは、構造上、一般的な農用フォーク10よりも重量が増すため、持ち運び時などにおける作業者の負荷が大きい。
また、爪が帯状に改良された農用フォーク10は、一般的に利用されている農用フォーク10よりも重量があるため、作業者に負荷がかかる。
【０００５】
そこで本考案は、一般的な農用フォーク10に脱着可能とすることで、一般的な農用フォーク10の利点を生かしつつ、掘り上げ作業時の欠点である潜り込みを防ぎ、かつ踏み込みの補助にもなる軽量な農用フォーク用補助具、及び農用フォーク用補助具を備えた農用フォークを提供することを目的とする。
【課題を解決するための手段】
【０００６】
請求項1記載の本考案の農用フォーク用補助具は、踏み込み部と複数の爪とを有する農用フォークに装着して用いる農用フォーク用補助具であって、前記爪に装着する装着部と、前記装着部の前面に配置した固定金具と、前記装着部の背面に配置したパイプ材とを有し、前記固定金具を前記踏み込み部に固定することで前記農用フォークに装着し、前記パイプ材が土中への潜り込みに対する抵抗となることで、前記農用フォークを前記土中に潜り込みにくくすることを特徴とする。
請求項2記載の本考案は、請求項1に記載の農用フォーク用補助具において、前記パイプ材は、少なくとも一対の接続片によって前記装着部に固定され、前記接続片によって、前記パイプ材と前記装着部とは間隙を有することを特徴とする。
請求項3記載の本考案は、請求項1又は請求項2に記載の農用フォーク用補助具において、前記装着部は、前記爪が挿通できる貫通孔を有することを特徴する。
請求項4記載の本考案は、請求項3に記載の農用フォーク用補助具において、前記装着部として、角型アルミパイプを用い、前記角型アルミパイプの対向する2片に前記貫通孔を設け、前記パイプ材として、円筒状アルミパイプを用い、前記円筒状アルミパイプを、前記角型アルミパイプよりも長くしたことを特徴とする。
請求項5記載の本考案は、請求項3又は請求項4に記載の農用フォーク用補助具において、前記固定金具と前記装着部とで、前記踏み込み部を挟み込むことを特徴とする。
請求項6記載の本考案の農用フォークは、請求項1から請求項5のいずれか1項に記載の農用フォーク用補助具を備えたことを特徴とする。
【考案の効果】
【０００７】
本考案によれば、一般的に利用されている農用フォークが、農用フォーク用補助具を装着することで、土中に潜り込みにくくなり、てこの原理の効果によって掘り取り作業が楽になり、踏み込みが容易となる。
【図面の簡単な説明】
【０００８】
【図１】本実施例による農用フォーク用補助具を農用フォークに装着する途中の状態を示す図
【図２】同農用フォーク用補助具を農用フォークに装着完了した状態を示す図
【図３】図2の状態での爪の前面から見た図
【図４】図2の状態での爪の背面から見た図
【図５】同農用フォーク用補助具を示す図
【図６】同農用フォーク用補助具を装着した農用フォークによる掘り上げ作業を示す図
【図７】従来の一般的な農用フォークによる掘り上げ作業を示す図
【図８】従来の一般的な農用フォークによる掘り上げ作業を示す図
【考案を実施するための形態】
【０００９】
本考案の第1の実施の形態による農用フォーク用補助具は、踏み込み部と複数の爪とを有する農用フォークに装着して用いる農用フォーク用補助具であって、爪に装着する装着部と、装着部の前面に配置した固定金具と、装着部の背面に配置したパイプ材とを有し、固定金具を踏み込み部に固定することで農用フォークに装着し、パイプ材が土中への潜り込みに対する抵抗となることで、農用フォークを土中に潜り込みにくくするものである。
本実施の形態によれば、パイプ材によって土中に農用フォークが潜り込みにくくなるとともに、てこの原理の効果によって掘り取り作業が楽にできる。また、パイプ材に足を乗せることができるため踏み込みが容易となる。
【００１０】
本考案の第2の実施の形態は、第1の実施の形態による農用フォーク用補助具において、パイプ材は、少なくとも一対の接続片によって装着部に固定され、接続片によって、パイプ材と装着部とは間隙を有するものである。
本実施の形態によれば、パイプ材を爪から離すことができるため、てこの原理の効果が更に大きくなる。
【００１１】
本考案の第3の実施の形態は、第1又は第2の実施の形態による農用フォーク用補助具において、装着部は、爪が挿通できる貫通孔を有するものである。
本実施の形態によれば、装着部に爪を挿通して農用フォークに装着することができる。
【００１２】
本考案の第4の実施の形態は、第3の実施の形態による農用フォーク用補助具において、装着部として、角型アルミパイプを用い、角型アルミパイプの対向する2片に貫通孔を設け、パイプ材として、円筒状アルミパイプを用い、円筒状アルミパイプを、角型アルミパイプよりも長くしたものである。
本実施の形態によれば、装着部及びパイプ材を、軽量性と堅牢性を兼ね備えたものとすることができ、よりスムーズに堀り上げ作業を行える。また、パイプ材を長くすることで、踏み込みが更に容易となる。
【００１３】
本考案の第5の実施の形態は、第3又は第4の実施の形態による農用フォーク用補助具において、固定金具と装着部とで、踏み込み部を挟み込むものである。
本実施の形態によれば、農用フォーク用補助具を農用フォークに強固に固定できる。
【００１４】
本考案の第6の実施の形態による農用フォークは、第1から第5のいずれかの実施の形態による農用フォーク用補助具を備えたものである。
本実施の形態によれば、土中に潜り込みにくく、掘り取り作業が楽にでき、踏み込みが容易な農用フォークを提供できる。
【実施例】
【００１５】
以下、本考案の実施例による農用フォーク用補助具及び農用フォークについて説明する。
図1は本実施例による農用フォーク用補助具を農用フォークに装着する途中の状態を示す図、図2は同農用フォーク用補助具を農用フォークに装着完了した状態を示す図、図3は図2の状態での爪の前面から見た図、図4は図2の状態での爪の背面から見た図、図5は同農用フォーク用補助具を示す図、図6は同農用フォーク用補助具を装着した農用フォークによる掘り上げ作業を示す図である。
【００１６】
図1及び図2に示すように、本実施例による農用フォーク用補助具20は、農用フォーク10に装着する。
農用フォーク10には、一般的に利用されている市販品を用いることができる。農用フォーク10の柄13の先端には、左右側方に突出した踏み込み部11と、婉曲した複数の爪12が設けられている。
農用フォーク用補助具20は、爪12に装着する装着部30を有する。装着部30の前面には固定金具40が配置され、装着部30の背面にはパイプ材50が配置されている。パイプ材50の両端には蓋51を設けている。パイプ材50は、踏み込み部11の幅よりも長く、掘り上げ作業時において水平となる。
装着部30は、爪12が挿通できる貫通孔31が形成されており、爪12の先端側から差し込むことができる。差し込んだ装着部30を爪12の後端側へ移動させ、固定金具40を踏み込み部11に固定することで、農用フォーク10への農用フォーク用補助具20の装着が完了する。
【００１７】
農用フォーク用補助具20が装着された農用フォーク10は、図3に示すように、パイプ材50が抵抗となることで土中への潜り込みを防ぐとともに、てこの原理で支点をより高くした状態となり、掘り上げ高さが増えるため掘り取り作業が楽にできる。さらに、爪12の背面に強固に固定されたパイプ材50は、踏み込み部11の幅よりも長く、また、掘り上げ作業時において水平になるように配置されているため、作業者はパイプ材50に足を乗せることで剣先スコップのように踏み込みが容易にできる。パイプ材50には蓋51を設けているので、パイプ材50の内部に土が入り込むことを防止でき、土が入り込むことによる重量増加を防止できる。
【００１８】
装着部30には、角型アルミパイプを用いている。角型アルミパイプを用いることで、装着部30を軽量性と堅牢性を兼ね備えたものとすることができる。
角型アルミパイプ30は、爪12の前面側に配置される前面板32、爪12の背面側に配置される背面板33、前面板32の上端と背面板33の上端とを接続する上面片34、及び前面板32の下端と背面板33の下端とを接続する下面片35を有する。角型アルミパイプ30の側面は開放されている。
角型アルミパイプ30は台形状であり、上辺は踏み込み部11の幅よりも短く、下辺は一方の外側の爪12から他方の外側の爪12までの幅よりも長い。
貫通孔31は、角型アルミパイプ30の対向する2片、すなわち上面片34と下面片35に設けられている。本実施例では、貫通孔31は、上面片34と下面片35のそれぞれに三つずつ設けられており、爪12のうち外側の二本の爪12を除く、内側の三本の爪12が貫通孔31に挿通される。
【００１９】
固定用金具40は、一端が前面板32に固定された固定端、他端が自由端になっており、固定端を中心として、開放位置（図1）から固定位置（図2）まで回動可能である。
固定用金具40は、長方形の板の二箇所を折り曲げて形成されており、前面部41と、上面部42と、鉤爪部43とからなる。固定位置において、前面部41は前面板32と平行に爪12の前方に位置し、上面部42は上面片34と平行に踏み込み部11の上方に位置し、鉤爪部43は爪12の後方に位置する。また、上面部42の中央には柄13が嵌装される切欠き４４が形成されている。
固定金具40と角型アルミパイプ30とで柄13の両側の踏み込み部11を挟み込むことにより、農用フォーク用補助具20が農用フォーク10に強固に固定される。
【００２０】
パイプ材50は、所定の長さを有する接続片60によって装着部（角型アルミパイプ）30に固定される。接続片60は、背面板33の両側に一対で配置されている。なお、接続片60は二対以上設けても良い。
接続片60の一端は背面板33に接続され、他端はパイプ材50に接続されている。接続片60を介して接続することによって、装着部30とパイプ材50との間には間隙Aが形成される。このようにパイプ材50を爪12から十分後方に配置することで、てこの原理の効果が大きくなる。
なお、間隙Aは、3cm以上7cm以下とすることが好ましく、約5cmとすることがより好ましい。
【００２１】
パイプ材50には、装着部（角型アルミパイプ）30よりも長く形成された円筒状アルミパイプを用いている。円筒状アルミパイプ50の直径は3cm以上7cm以下とすることが好ましく、約5cmとすることがより好ましい。円筒状アルミパイプ50は、農用フォーク10に装着された状態において地面と平行になるように設けられる。
このような円筒状アルミパイプ用いることで、パイプ材50を軽量性と堅牢性を兼ね備えたものにすることができ、作業者は掘り上げ動作をスムーズに行うことができる。また、一般的な農用フォーク10の踏み込み部11は、いわゆるなで肩になっており作業者が足を乗せる部分が小さいため踏み込みにくいが、円筒状アルミパイプ50は、踏み込み部11よりも長く、かつ水平に設けられているため、作業者は円筒状アルミパイプ50に足を乗せることで、踏み込みやすくなる。
【００２２】
以上のように、本実施例による農用フォーク用補助具20は、市販されている一般的な農用フォーク10に脱着可能であるため、剣先スコップ等に比べて掘り上げ時の負荷が少なく軽量であるという一般的な農用フォーク10の利点を生かしつつ、掘り上げ作業時の欠点である潜り込み過ぎと踏み込み難さを改善することができる。
なお、農用フォーク用補助具20は、木製又は樹脂製等とすることもできるが、コストや耐久性の面からアルミ等の金属製（金具）とすることが好ましい。
【産業上の利用可能性】
【００２３】
本考案は、畜産分野や根茎作物を主とする農業分野等における手作業に用いる農用フォークに適用できる。
【符号の説明】
【００２４】
10  農用フォーク
11  踏み込み部
12  爪
20  農用フォーク用補助具
30  装着部（角型アルミパイプ）
31  貫通孔
40  固定金具
50  パイプ材（円筒状アルミパイプ）
60  接続片
A  間隙
【図１】
0003206862.tif 000003
【図２】
0003206862.tif 000004
【図３】
0003206862.tif 000005
【図４】
0003206862.tif 000006
【図５】
0003206862.tif 000007
【図６】
0003206862.tif 000008
【図７】
0003206862.tif 000009
【図８】
0003206862.tif 000010